(57)【要約】【課題】  浴槽内で、給水器本体に連なるホースを把持して人体各部へ湯水の噴射によるマッサージを手軽に行えるようにする。【解決手段】  内部にポンプを装置したハンディ型の給水器本体の上部吐出口にホースを取り付け、吐出口近傍に送気管の一端を接続し、送気管他端を水面上部に突出してエアを常時本体内に送り込む。ポンプに一端部を固着したコード他端を、電源器と連なるコントローラーに接続し、コントローラーが給水器のポンプを作動停止するスイッチを備え、スイッチをオンすることでホース先端口よりエア圧を受けた湯水が噴出する。【選択図】図１
0003121282.tif 000002
【実用新案登録請求の範囲】
【請求項１】
内部にポンプを装置し端部にヘアキャッチャー付きの吸込口を設けたハンディ型の給水器本体の上部吐出口にホースを取り付け、吐出口近傍に送気管の一端を接続し、送気管他端を水面上部に突出してエアを常時本体内に送り込み、ポンプに一端部を固着したコード他端を、電源器と連なるコントローラーに接続し、コントローラーが前記給水器のポンプを作動停止するスイッチを備え、該スイッチをオンすることでホース先端口よりエア圧を受けた湯水が噴出することを特徴とする浴槽湯利用マッサージ装置。
【考案の詳細な説明】
【技術分野】
【０００１】  本考案は、浴槽内で人体各部をマッサージする浴槽湯利用マッサージ装置に関する。
【背景技術】
【０００２】  浴槽内に据えつけた気泡発生器によって身体全体に気泡を当てることを目的としたマッサージ装置が従来から存在するが、殆どのものが気泡発生器が浴槽に固定式のため人体各部のマッサージに適するというものではなく、それゆえマッサージを施したい個所に気泡発生器を移動できるようにした技術の提案もなされている（例えば特許文献１及び特許文献２参照）。
【特許文献１】特開平１１−１３７６２４号公報
【特許文献２】特開２００３−７０８６４号公報
【考案の開示】
【考案が解決しようとする課題】
【０００３】  特許文献１に記載の技術は、先端が二股に分かれたジョイントにフレキシブルホースを接続し、このホースの先端に湾曲形状のパイプを接続したもので、パイプは中間に孔を有し且つ先端を密閉した構成で、パイプの孔から出る気泡でマッサージを行うことを目的としている。この技術では、ホースにあけた孔は間隔を置いて複数個所に設けられており、気泡は各孔から分散して排出されるものであるから、背・腹部などの比較的広い部位には適しても、小範囲を局部的にマッサージするには不向きであり、また長いホースを身体に当てる関係上狭い浴槽には適さないといった問題もある。【０００４】  特許文献２に記載の技術は、局部的なマッサージを効率良く行うために浴槽内に配置された気泡発生器に、主として足裏を乗せる構成としている。この技術は、浴槽内の一部に気泡発生器を置いて孔から出る気泡によって人体をマッサージするものであるが、気泡発生器自体一定のスペースを有し、身体の一部を直接乗せたり当接することを主旨としているので、例えば首、局所といった曲面のある部位や狭い凹所に介入させるにはに適さないという不具合がある。【０００５】  本考案は上記のような従来技術とは異なって、浴槽内において手軽に把持でき、移動が自在で身体のどの部分にもあてがうことが可能であり、噴射湯水を勢いよく放出して十分なマッサージ効果を所期することのできるハンディタイプのマッサージ装置を提供することを目的としている。
【課題を解決するための手段】
【０００６】  すなわち本考案は、内部にポンプを装置し端部にヘアキャッチャー付きの吸込口を設けたハンディ型の給水器本体の上部吐出口にホースを取り付け、吐出口近傍に送気管の一端を接続し、送気管他端を水面上部に突出してエアを常時本体内に送り込み、ポンプに一端部を固着したコード他端を、電源器と連なるコントローラーに接続し、コントローラーが前記給水器のポンプを作動停止するスイッチを備え、該スイッチをオンすることでホース先端口よりエア圧を受けた湯水が噴出することを技術手段とする。
【考案の効果】
【０００７】  給水器はハンディ型であるから容易に手でつかむことができ、また浴槽内に固定しても場所を取らずに使用でき、給水器の吐出口に取り付けたホース先端部からはエア圧を受けた噴射水が放出されるので、この噴射水を体に当てることでマッサージ効果が得られる。【０００８】  吸込口より本体に入った湯水は、ヘアキャッチャーによって髪の毛やごみが内部に入るのを抑止されるので本体の作動に支障を生じることがなく、湯水はポンプの可動によって本体内に能率的迅速に吸い込まれるとともに、ホース先端から放出される噴射水は送気管から送られるエア圧が加わって水面より上方で使用する場合は頗る強力となり、また水中にあっても十分な水圧を保つためマッサージ圧が人体に効率よく浸透する。【０００９】  ホースは特別なものを使用する必要がなく、浴槽の広さ等に応じて任意な長さとすることができ、また手でつかんでマッサージしたい個所に自由に当てることができるので、例えば前立腺疾患、痔疾等の従来の気泡器ではマッサージすることが困難な部位にも噴射させることができて広範な疾患の改善が所期され、またホースを長くすることで使用済みの浴槽湯を洗濯機に送る手段としても優れ、洗濯水としての再利用が容易にできる。【００１０】  給水器本体、電源器、コントローラーは比較的簡単な構成であるから製造が容易でありまたエア圧を送り込む送気管もビニール管のような細径のものを使用し、端部の空気口は水中に沈まないように例えば浮きを取り付ける等の細工を施すだけで足り、したがって装置を安価に提供でき、量産にも好適するという実益がある。
【考案を実施するための最良の形態】
【００１１】  図面に基づき本考案を説明すると、図１は本装置の概略を示したもので、１０は浴槽１内に配置したハンディ型の給水器本体、２０は本体１０に接続したホース、３０は本体１０と、電源器４０に連なるコントローラー５０間に介装したコード、６０は本体１０に取り付けた送気管である。【００１２】  給水器本体１０は、図２に示すように内部に羽根付きポンプ１１を装置し、下端部に形成した吸込口１２から水を吸い込んで上部片側に突設した吐出部１４の吐出口１５から噴出させるもので吸込口１２にはヘアキャッチャー１３を取り付けて、髪の毛やごみなど水以外の汚れが可及的入らないようにしてある。コード３０は本体１０の頂部から挿入してポンプ１１に一端部を固着し、他端部を浴室外部に配置した電源器４０と連なるコントローラー５０に着脱自在に取り付けている。【００１３】  電源器４０は水濡れしないように浴室外部に設置してあり、１次側に１００〜２３０Ｖまでの可変入力可能なＡＣアダプターを使用し２次側（ＤＣ）の出力は１．５Ａ、１２Ｖ〜１８Ｖまで可変としたものが好ましく、前面にＯＮ・ＯＦＦ式スイッチ４２を設けてある。この電源器４０に接続コード４１を介して連ねた可変ユニット付きのコントラローラー５０は浴室壁面に取り付けておき、このコントローラー５０のスイッチ５１をＯＮすることによりポンプ１１が作動し、吸込口１２から入った水が吐出口１５へと送られる。【００１４】  給水器本体１０の吐出部１４には通常のホース２０が取り付けられる。ホース２０の長さは任意であり、浴槽１の大きさ等に応じたものを使用する。すなわち電源器４０のスイッチ４２を投入して電源を投入しておき、コントローラー５０をスイッチＯＮするとポンプ１１が作動して吸込口１２より湯水が本体１０内に入り、吐出口１５から噴出するがこの時吐出部１４に取り付けた送気管６０から送られたエア圧を受けて噴射水は吐出口１５からホース２０にそのまゝ直進してホース先端口２１より勢いよく噴出する。ホース２０の先端口２１を水面２の上方に向けた時は遮蔽物がないため噴射水の水圧は強烈となり、肩、首などの水面上部に出ている個所に当てると従来の気泡を当てるマッサージよりも人体に浸透し、また水中に向けた時は浴槽湯に遮られてその分減ぜられるがポンプ１１だけの吸込力と異なってエア圧が加わっているため十分なマッサージ機能が発揮され、それゆえ水中に座った状態でホース２０の先端口２１を直接人体の局所に向けることによりいかなる部位といえども噴射水でマッサージすることができ、刺激を受けた個所は細胞が活性化して所謂若返り効果を生み出す。【００１５】  送気管６０は本体１０の上部に突設した吐出部１４に一端を接続し、他端部の空気口６１を浴槽１の水面２より上部に突出してエアが送気管６０を通って常時本体１０内に送り込まれるようにする。吐出口１５から出る水はエア圧を受けて水勢が高まり強力な噴射水となる。送気管６０他端を絶えず水面２上に置くために図示したピンポン玉のような水に沈まない浮き６２を空気口６１の近傍に取り付けておけば、送気管６０は湯水に浮遊するので固定手段を特に設ける必要がなく、ホース２０の取り扱いに支障が生じない。【００１６】  本体１０はハンディ型のため片手で持ちながら使用することも可能であり、また浴槽底に置いて使用しても何ら差し支えはないが、止具（不図示）を用いて浴槽内中間部の適所に固定すると両手が使えるため一層使用勝手がよくなる。【００１７】  図３は浴槽湯を洗濯機７０に移す使用形態を示すもので、給水器本体１０につなげた長尺なホース２０の端部を洗濯機７０内に臨ませると、給水器本体１０から吸い込まれた浴槽湯がホース２０を通って洗濯機７０に送り込まれるので洗濯水として使用できる。この時もホース２０には送気管６０からエアが送られるのでホース２０の端部から出る噴射水は頗る勢いが良く、短時間で浴槽１内の水を洗濯機７０内に移し替えることができる。
【図面の簡単な説明】
【００１８】
【図１】本案を浴槽に装置した概略図である。
【図２】本考案の説明図である。
【図３】本案装置により浴槽湯を洗濯機に送り洗濯水として利用する実施例図である。
【符号の説明】
【００１９】  １    浴槽
２    水面
１０  給水器本体
１１  ポンプ
１２  吸込口
１３  ヘアキャッチャー
２０  ホース
２１  先端口
３０  コード
４０  電源器
４１  接続コード
５０  コントローラー
６０  送気管
６１  空気口
６２  浮き
【図１】
0003121282.tif 000003
【図２】
0003121282.tif 000004
【図３】
0003121282.tif 000005